(57)【要約】  本発明は、ハウジング（１０１）を有するリレーと、ハウジング（１０１）に配置された接触壁（１０３）を備える雌型コネクタ（１００）であって、ここで、接触壁（１０３）は、少なくとも１つの第１接触隆起（１０３−２）を有する第１変形部（１０３−１）と、ハウジング（１０１）に配置されたバネ舌片（１０５）とを有し、バネ舌片（１０５）は接触壁（１０３）に面しており、バネ舌片（１０５）は、複数の第２接触隆起（１０５−２）を有する第２変形部（１０５−１）を有し、第２ディップ（１０５−３）は２つの連続する第２接触隆起（１０５−２）間に形成され、第２接触隆起（１０５−２）は、少なくとも１つの第１接触隆起（１０３−２）と対向するように配置され、異なるコンタクトピンの長さのコンタクトピン（５０１，７０２）をスプラング式で第１接触隆起（１０３−２）に対して押圧するために提供される、雌型コネクタに関連する。
2021524132.tif 000002
【特許請求の範囲】
【請求項１】
リレー用の雌型コネクタであって、
ハウジングと、
前記ハウジングに配置された接触壁であって、前記接触壁は、少なくとも１つの第１接触隆起を含む第１変形部を有する、接触壁と、
前記ハウジングに配置されたバネ舌片と、
を備え、
前記バネ舌片は前記接触壁に面し、前記バネ舌片は、複数の第２接触隆起を含む第２変形部を有し、第２ディップは、２つの連続する第２接触隆起間に形成され、前記第２接触隆起は、前記少なくとも１つの第１接触隆起に対向するように配置され、異なるコンタクトピンの長さのコンタクトピンをスプラング式で前記第１接触隆起に対して押圧するように提供される、雌型コネクタ。
【請求項２】
前記接触壁の前記第１変形部は、複数の第１接触隆起を有し、第１ディップは、２つの連続する第１接触隆起間に形成され、第２ディップは、２つの連続する第２接触隆起間に形成され、前記第２接触隆起は、前記第１接触隆起に対向するように対になって配置される、請求項１に記載の雌型コネクタ。
【請求項３】
前記接触壁は、第１コンタクトピンの第１挿入深度までの第１の数の第１接触隆起を有し、第２コンタクトピンの第２挿入深度までの第２の数の第１接触隆起を有し、前記第１コンタクトピンの前記第１挿入深度に対する前記バネ舌片は、前記第１の数の第２接触隆起を有し、前記第２コンタクトピンの前記第２挿入深度までは、前記第２の数の第２接触隆起を有し、前記第１の数の第１接触隆起と前記第２接触隆起とは、前記第１コンタクトピンを保持するために提供され、前記第２の数の前記第１接触隆起と前記第２接触隆起は、前記第２コンタクトピンを保持するために提供される、
請求項２に記載の雌型コネクタ。
【請求項４】
第１接触力は、前記接触壁と前記バネ舌片とからの、前記第１の数の第１接触隆起ならびに前記第１の数の第２接触隆起を介して第１コンタクトピンに加えられ、ここで、第２接触力は、前記接触壁と前記バネ舌片とからの前記第２の数の第１接触隆起ならびに前記第２の数の第２接触隆起を介して第２コンタクトピンに加えられる、請求項３に記載の雌型コネクタ。
【請求項５】
第１コンタクト抵抗は、前記第１の数の第１および第２接触隆起と前記第１コンタクトピンとの間で発生し、第２コンタクト抵抗は、前記第２の数の第１および第２接触隆起と前記第２コンタクトピンとの間で発生する、請求項３または４に記載の雌型コネクタ。
【請求項６】
前記ハウジングは、第１ハウジング壁と、前記第１ハウジング壁と対向するように配置された第２ハウジング壁とを有し、ハウジング開口部は、そこを通ってそれぞれの前記コンタクトピンが通過し得る前記第１ハウジング壁と前記第２ハウジング壁との間で定義される、請求項１から５のいずれか一項に記載の雌型コネクタ。
【請求項７】
前記第２ハウジング壁は、前記ハウジング開口部から離れるように面する前記第２ハウジング壁の端部に、前記第１ハウジング壁の対応する端部を超えて延在する細長い端部領域を含む、請求項６に記載の雌型コネクタ。
【請求項８】
平坦な基部と、前記基部に接続された屈曲部と、前記屈曲部に接続された曲げ返されたブラケット部とを有するコンタクトクリップを備え、前記バネ舌片は、前記曲げ返されたブラケット部により形成され、前記平坦な基部に対向するように弾性的に配置される、請求項１から７のいずれか一項に記載の雌型コネクタ。
【請求項９】
平坦な基部は第２ハウジング壁上に形成される、請求項７または８に記載の雌型コネクタ。
【請求項１０】
前記バネ舌片の弾性を有する端部は、ハウジング開口部から離れるように面する、請求項９に記載の雌型コネクタ。
【請求項１１】
前記バネ舌片の弾性を有する前記端部は、前記基部に向かって傾斜する端部を有する、請求項１０に記載の雌型コネクタ。
【請求項１２】
前記バネ舌片の前記端部は、前記基部に接触され、それに対して押圧されるために適合され、前記端部は、バネ力を加えるのに適切である、請求項１１に記載の雌型コネクタ。
【請求項１３】
前記第１接触隆起間に形成された前記接触壁の第１ディップは、第１ハウジング壁に形成され、特に一体的に形成される、請求項２から１２のいずれか一項に記載の雌型コネクタ。
【請求項１４】
前記バネ舌片は、少なくとも部分的に波のような形状である、請求項１から１３のいずれか一項に記載の雌型コネクタ。
【請求項１５】
前記第１接触隆起間に形成された前記接触壁の前記第１ディップは平坦である、請求項２から５のいずれか一項に記載の雌型コネクタ。
【請求項１６】
前記接触壁の前記第１接触隆起と前記バネ舌片の前記第２接触隆起とは、前記コンタクトピンの挿入方向に沿って交互に配置される、請求項２から５または１５のいずれか一項に記載の雌型コネクタ。
【請求項１７】
前記挿入の方向は、屈曲部の曲率軸に対して垂直に走る、請求項１６に記載の雌型コネクタ。
【請求項１８】
前記接触壁と前記バネ舌片とは、電気的伝導性材料で形成される、請求項１から１７のいずれか一項に記載の雌型コネクタ。
【請求項１９】
第１接触隆起の数は第２接触隆起の数に対応する、請求項２から１６のいずれか一項に記載の雌型コネクタ。
【請求項２０】
第１コンタクトピンと第２コンタクトピンとを有するリレーと、
前記第１コンタクトピンが挿入された、請求項１から１９のいずれか一項に記載の第１雌型コネクタと、
前記第２コンタクトピンが挿入された、請求項１から１９のいずれか一項に記載の第２雌型コネクタと
を備える、リレーシステム。
【請求項２１】
リレーシステムにおいて、前記第１コンタクトピンはコイル接続であり、前記第２コンタクトピンは前記リレーの負荷接続である、請求項２０に記載のリレーシステム。
【請求項２２】
前記第１コンタクトピンおよび前記第２コンタクトピンは、テーパ状の第１コンタクトピン端部を含む、請求項２０または２１に記載のリレーシステム。
【請求項２３】
前記第１コンタクトピンおよび前記第２コンタクトピンは、テーパ状でない第１コンタクトピン端部を含む、請求項２０から２２のいずれか一項に記載のリレーシステム。
【発明の詳細な説明】
【技術分野】
【０００１】
本発明は、雌型コネクタに関連し、より具体的には、狭いリレーと共に使用するための雌型コネクタに関連する。
【背景技術】
【０００２】
リレーのコンタクトピンの電気的接触には通常、雌型コネクタが使用され、これはいわゆるチューリップコンタクトとして適合される。そのようなチューリップコンタクトは、平坦形状においてアーチ型であり、雌型コネクタに挿入されたコンタクトピンに接触力を生成するために提供される、平坦型のバネを有する。
【０００３】
しかし、平坦型のバネの曲率に起因して、大きな設置スペースが雌型コネクタに必要である。加えて、接触力を生成するには平坦型のバネの幅が大きい必要があり、これは、例えば、末端ブロックにおける雌型コネクタの配置密度を制限する。
【０００４】
したがって、本発明の目的は、改良されたリレー用の雌型コネクタを提供することである。
【０００５】
この目的は、独立項１および１９の特徴により実現される。
【０００６】
本発明の有利な実施形態は、従属項、説明および添付図面の主題である。
【０００７】
一態様によると、本発明は、ハウジングを有するリレー用の雌型コネクタに関連する。雌型コネクタは、ハウジングに配置された接触壁を備え、ここで、接触壁は、少なくとも１つの第１接触隆起を有する第１変形部と、ハウジングに配置されたバネ舌片とを有し、バネ舌片は接触壁に面しており、バネ舌片は、複数の第２接触隆起を有する第２変形部を有し、第２ディップは２つの連続する第２接触隆起間に形成され、第２接触隆起は、少なくとも１つの第１接触隆起と対向するように配置され、異なるコンタクトピンの長さのコンタクトピンをスプラング式で少なくとも１つの第１接触隆起に対して押圧するために提供される。
【０００８】
これは、異なる寸法のコンタクトピン、例えば、リレーの負荷およびコイルの接続が、雌型コネクタに保持され得るという技術的有利性を有する。
【０００９】
雌型コネクタは、接触壁と当該接触壁に対向するバネ舌片とが形成されたハウジングに適合される。
【００１０】
リレーのコンタクトピンがそこに挿入され得る受容空間は、接触壁とバネ舌片との間に形成される。接触壁は、少なくとも１つの第１接触隆起を有し、バネ舌片は、複数の第２接触隆起を有し、それらは、雌型コネクタの受容空間に挿入されたコンタクトピンに接触する機能を有する。
【００１１】
バネ舌片は、コンタクトピンにバネ力を加えるのに適切である。コンタクトピンが、受容空間も隣接するハウジングのハウジング開口部を介して雌型コネクタの受容空間に挿入されるとき、バネ舌片は、コンタクトピンにより弾力的に変形され、結果的に挿入されたコンタクトピンにバネ力を加え、これにより、接触壁とバネ舌片との間のコンタクトピンは弾性的に押圧される。コンタクトピンと接触壁との間の接触またはコンタクトピンとバネ舌片との間の接触は、接触壁とバネ舌片とに形成された複数の第１および第２接触隆起を介して排他的に行われる。少なくとも１つの第１接触隆起は、バネ舌片に面する接触壁の表面における第１変形部内に形成される。
【００１２】
少なくとも１つの第１接触隆起は、連続する隆起として適合される。少なくとも１つの第１接触隆起は、フレキシブルな舌片と面し、接触壁とフレキシブルな舌片との間の接触空間を指す。
【００１３】
複数の第２接触隆起は、接触壁に面するバネ舌片の表面における第２変形部内に、互いから分離された隆起として形成され、２つの隣接する隆起の各々の間に第２ディップを有する。第２接触隆起は、接触壁に面し、接触壁とバネ舌片との間の受容空間に延在する隆起として適合される。
【００１４】
第１および第２接触隆起は、雌型コネクタの受容空間に導入されたコンタクトピンとの電気接触を形成する機能を有し、伝導性材料で形成される。また、第１および第２接触隆起は、バネ舌片のバネ力に基づく弾力的な接触圧力によって、接触壁とバネ舌片との間に固定されたコンタクトピンを保持することが可能である。
【００１５】
これは、バネ舌片のバネ力によって、雌型コネクタに挿入されたリレーのコンタクトピンが、コンタクトピンに接触する第１および第２接触隆起を介して雌型コネクタに保持されるという技術的有利性を実現し、これにより、雌型コネクタとコンタクトピンとの間の固定されたプラグ接続および電気接触を可能にする。
【００１６】
一実施形態によると、接触壁の第１変形部は、複数の第１接触隆起を備え、ここで、２つの連続する第１接触隆起間に第１ディップが形成され、２つの連続する第２接触隆起間に第２ディップが形成され、第２接触隆起は、第１接触隆起と対向するように対になって配置される。
【００１７】
これは、接触壁とバネ舌片とによるコンタクトピンの接触が、個別の数の接触された第１および第２接触隆起を介して実現され得るという技術的有利性を実現する。
【００１８】
第１接触隆起は、互いから分離された隆起として形成され２つの隣接する接触隆起間に形成された少なくとも１つのディップを有する。第１接触隆起は、バネ舌片に面し、接触壁とバネ舌片との間の接触空間を指す。
【００１９】
一実施形態によると、接触壁は、第１コンタクトピンの第１挿入深度までの第１の数の第１接触隆起と、第２コンタクトピンの第２挿入深度までの第２の数の第１接触隆起とを有し、第１コンタクトピンの第１挿入深度に対するバネ舌片は第１の数の第２接触隆起を備え、第２コンタクトピンの第２挿入深度までは第２の数の第２接触隆起を備え、ここで、第１の数の第１接触隆起と第２接触隆起とは、第１コンタクトピンを保持するために提供され、第２の数の第１接触隆起と第２接触隆起とは第２コンタクトピンを保持するために提供される。
【００２０】
これは、コンタクトピンと雌型コネクタとの間の接触、ならびに、雌型コネクタにおけるコンタクトピンの保持が、本発明に従って雌型コネクタに挿入されたコンタクトピンの挿入深度を介して、個別の段階において変わり得るという技術的有利性を有する。
【００２１】
コンタクトピンが第１挿入深度まで雌型コネクタに挿入されたとき、コンタクトピンは、接触壁に形成された第１の数の第１接触隆起とバネ舌片に形成された第１の数の第２接触隆起とに接触する。接触された第１および第２接触隆起の数に関連して、挿入されたコンタクトピンは、雌型コネクタとの対応する接触と、接触壁とバネ舌片とによりコンタクトピンに加えられた接触力とを受け、第１接触力に従って雌型コネクタに保持される。
【００２２】
これに対して、コンタクトピンが第２挿入深度まで雌型コネクタに挿入されたとき、コンタクトピンは、接触壁に形成された第２の数の第１接触隆起とバネ舌片に形成された第２の数の第２接触隆起とに接触し、結果的に、接触された第２の数の第１および第２接触隆起と第２接触力とに対応する雌型コネクタとの接触を受け、第２接触力に従って雌型コネクタに保持される。
【００２３】
異なるコンタクトピンに対するプラグ接続の挿入および抽出力、接触力および接触抵抗は、従って、挿入深度、ならびに連結される接触された第１および第２接触隆起の数を介して段階的に変わり得る。
【００２４】
一実施形態によると、第１接触力は、接触壁とバネ舌片とからの、第１の数の第１接触隆起ならびに第１の数の第２接触隆起を介して第１コンタクトピンに加えられ、ここで、第２接触力は、接触壁とバネ舌片とからの第２の数の第１接触隆起ならびに第２の数の第２接触隆起を介して第２コンタクトピンに加えられる。
【００２５】
これは、コンタクトピンに作用する接触力が、雌型コネクタに挿入されたコンタクトピンの挿入深度を介して、ならびに、それに連結されて、コンタクトピンにより接触された第１および第２接触隆起の数を介して、個別の段階において変わり得るという技術的有利性を実現する。
【００２６】
バネ舌片のバネ力を介して、接触力は、接触壁における第１および第２接触隆起とコンタクトピンにより接触されたバネ舌片とによりコンタクトピンに加えられ、接触隆起１，...，ｎの数のそれぞれは、コンタクトピンに個々の接触力ＦＫ１，...，ＦＫｎを加える。個々の接触力の量は、コンタクトピンによるバネ舌片の撓みと、バネ舌片により加えられるバネ力とに依存する。
【００２７】
個々の接触力の主要構成要素は、コンタクトピンのそれぞれの表面に垂直な方向で動作し、コンタクトピンの表面の法線方向に沿って方向付けされる。従って、接触壁からコンタクトピンとバネ舌片とに作用する接触力ＦＫｇｅは、コンタクトピンにより接触される第１および第２接触隆起１，...，ｎの数に比例し、以下の関係に従って個々に接触された接触隆起１，...，ｎを介してコンタクトピンに作用する個々の接触力ＦＫ１，...，ＦＫｎの和からもたらされる。
【数１】
2021524132.tif 000003
【００２８】
コンタクトピンにより接触される接触隆起の数がより多いと、結果的に、コンタクトピンに作用する接触力がより高くなる。
【００２９】
コンタクトピンに作用する接触力と直接関係しているので、負荷接続とリレーのコイル接続との引き抜き力と差し込み力とに関する異なる要件は、コンタクトピンの挿入深度を介して満たされ得るという技術的有利性も実現される。
【００３０】
一実施形態によると、第１コンタクト抵抗は、第１の数の第１および第２接触隆起と第１コンタクトピンとの間で発生し、第２コンタクト抵抗は、第２の数の第１および第２接触隆起と第２コンタクトピンとの間で発生する。
【００３１】
これは、コンタクトピンと雌型コネクタとの間に発生する接触抵抗が、雌型コネクタへのコンタクトピンの挿入深度を介して、ならびに、それに連結されて、コンタクトピンにより接触された第１および第２接触隆起の数を介して、個別の段階において変わり得るという技術的有利性を実現する。
【００３２】
互いに接触する２つの電気伝導性材料の接触抵抗は、当該２つの材料が互いに対して押圧される接触力に反比例する。
【００３３】
Ｈｏｌｍによると、接触抵抗ＲＫと接触力ＦＫとの間における以下の関係は、異物層を含まない略球状の接触面に適用される。
【数２】
2021524132.tif 000004
【００３４】
雌型コネクタについては、接触抵抗ＲＫｇｅは、以下の関係に従って、個々の接触隆起１，...，ｎに発生する個々の接触抵抗ＲＫ１，...，ＲＫｎの和からもたらされる。
【数３】
2021524132.tif 000005
【００３５】
接触抵抗は、接触された第１および第２接触隆起の数に反比例し、その結果、複数の接触された第１および第２接触隆起は、より小さい接触抵抗を接触壁とバネ舌片とコンタクトピンとの間に発生させ、その一方、比較的に少ない数の接触された第１および第２接触隆起は、それに対応してより大きい接触抵抗ＲＫｇｅを、コンタクトピンと接触壁とバネ舌片との間に発生させる。
【００３６】
一実施形態によると、ハウジングは、第１ハウジング壁と、当該第１ハウジング壁と対向するように配置された第２ハウジング壁とを有し、ハウジング開口部は、そこを通ってそれぞれのコンタクトピンが通過し得る第１ハウジング壁と第２ハウジング壁との間で定義される。
【００３７】
これは、プラグがハウジングを介して構造的に堅牢な形成を与えられるという技術的有利性を有する。さらに、雌型コネクタの寸法は、ハウジングを介して定義される。さらに、ハウジング開口部を介して雌型コネクタに導入されたコンタクトピンが、ハウジングにおいて保護された方式で配置されるという技術的有利性が実現される。 
【００３８】
一実施形態によると、ハウジングは、直方形状の中空体として形成される。
【００３９】
一実施形態によると、ハウジングは、屈曲または折り曲げプロセスによって、シートメタルから形成され、曲げられたまたは折り曲げられたシートメタルの端部がそれを介して互いに固定される、且つそれを介してハウジングにかなりの構造強度が与えられる、溶着点を有する。
【００４０】
これは、雌型コネクタの簡略化された製造という技術的有利性を有する。
【００４１】
一実施形態によると、第２ハウジング壁は、ハウジング開口部から離れるように面する第２ハウジング壁の端部に、第１ハウジング壁の対応する端部を超えて延在する細長い端部領域を有する。
【００４２】
これは、雌型コネクタの接続領域および締結領域が、細長いボルト状のシートメタルとして簡略化された方式で適合され得るということを意味する。加えて、これは、雌型コネクタが、構造的に固定される方式で、細長い端部領域を介してリレー端子に固定される、且つ、電気的に接続され得るという技術的有利性を有する。
【００４３】
一実施形態によると、雌型コネクタは、平坦な基部と、基部に接続された屈曲部と、屈曲部に接続された曲げ返されたブラケット部とを有するコンタクトクリップを備え、バネ舌片は、曲げ返されたブラケット部により形成され、平坦な基部に対向するように弾性的に配置される。
【００４４】
これは、バネ舌片がハウジングの内部に配置され、バネ力を加えるのに適切であるという技術的有利性を有する。
【００４５】
コンタクトクリップは、基部と、基部に接続された屈曲部と、屈曲部に接続された曲げ返されたブラケット部として適合される。曲げ返されたブラケット部は、基部に略平行に動作するように曲げ返され、ハウジング内に配置される。基部と曲げ返されたブラケット部とを互いに接続する屈曲部により、曲げ返されたブラケット部は基部に対して弾性的に移動可能であり、従って、バネ力が発生可能である。従って、曲げ返されたブラケット部により形成されるバネ舌片は、雌型コネクタに挿入されたコンタクトピンが、バネ舌片と接触壁との間に弾力的に押圧され得る方法により、バネ力を加えることが可能である。
【００４６】
一実施形態によると、基部は、第２ハウジング壁に形成される。
【００４７】
これは、バネ舌片が雌型コネクタのハウジングにしっかりと接続されるという技術的有利性を有する。
【００４８】
さらに、可能な限り省スペースである雌型コネクタの構造強度および雌型コネクタの構成は、雌型コネクタのバネ舌片とハウジングとの間の追加の接続手段を排除することにより実現される。
【００４９】
一実施形態によると、バネ舌片の弾性を有する端部は、ハウジング開口部から離れるように面する。
【００５０】
コンタクトクリップの屈曲部をハウジング開口部の方向に配置することにより、コンタクトピンの挿入が容易になる。これは、挿入されるコンタクトピンが、屈曲部の丸みを帯びた領域を介してハウジング開口部に誘導されるからである。
【００５１】
一実施形態によると、バネ舌片の弾性を有する端部は、基部に向かって傾斜する端部を有する。
【００５２】
一実施形態によると、バネ舌片の端部は、基部に接触され、それに対して押圧されるために適合され、端部は、バネ力を加えるのに適切である。
【００５３】
バネ舌片は、傾斜された端部と基部との接触により強化され、バネ舌片により加えられたバネ力の増加が実現される。これは次に、雌型コネクタに挿入されたコンタクトピンに加えられた接触力を増加させる。
【００５４】
一実施形態によると、バネ舌片は、少なくとも部分的に波のような形状である。
【００５５】
これは、バネ舌片を対応して屈曲させることにより接触隆起が実現され得るという点で、バネ舌片の複数の第２接触隆起の簡略化された生産という技術的有利性を実現する。さらに、複数の第２接触隆起がバネ舌片に一体に形成され、雌型コネクタのコンタクトピンの挿入および除去を繰り返すことにより、接触隆起がバネ舌片から離れることを防ぐということが実現される。さらに、バネ舌片の波状設計に起因して、接触隆起は穏やかに起伏する側面を有し、これは、コンタクトピンの導入を容易にし、接触隆起を用いてコンタクトピンの端部が傾斜することを防ぐ。
【００５６】
一実施形態によると、少なくとも１つの第１接触隆起および／または複数の第１接触隆起が、スタンピングまたはスタンピングプロセスにより、第１ハウジング壁におけるディップとして接触壁に一体に形成される。
【００５７】
これは、簡略化された生産という技術的有利性を有する。さらに、少なくとも１つの第１接触隆起および／または複数の第１接触隆起が接触壁に一体に形成され、雌型コネクタにおけるコンタクトピンの挿入および除去を繰り返すことにより、接触隆起が接触壁から離脱することを防ぐということが実現される。
【００５８】
一実施形態によると、第１接触隆起間に形成される接触壁のディップは平坦である。
【００５９】
これは、可能な限り平坦である接触壁の構成を実現し、これにより第１ハウジング壁の平坦な構成も実現される。これは、雌型コネクタの省スペースの設計に役立つ。
【００６０】
一実施形態によると、第２接触隆起間に形成された接触壁におけるディップは第１ハウジング壁に形成され、特に物質的に接着される方式で形成される。
【００６１】
これは、接触壁がハウジングにしっかりと接続され、従ってかなりの構造強度を有するという技術的有利性を有する。さらに、接触壁と第１ハウジング壁との間の追加の接続手段が排除されるという点で、雌型コネクタの省スペースの設計が実現される。
【００６２】
一実施形態によると、接触壁の第１接触隆起とバネ舌片の第２接触隆起とは、コンタクトピンの挿入方向に沿って交互に配置される。
【００６３】
これは、コンタクトピンにより接触された第１および第２接触隆起の数は、雌型コネクタへのコンタクトピンの挿入深度を介して変わり得るという技術的有利性を有する。
【００６４】
一実施形態によると、挿入の方向は、接触壁およびバネ舌片の長手方向に対応する。
【００６５】
これは、雌型コネクタが可能な限り最も狭い形状に適合され、従って、可能な限り省スペースし得るという技術的有利性を有する。
【００６６】
一実施形態によると、第１接触隆起は、横断方向において接触壁の中央に形成される。
【００６７】
これは、接触は、雌型コネクタに中央に挿入されていないコンタクトピンを用いても形成され得るという技術的有利性を有する。
【００６８】
一実施形態によると、第２接触隆起は、バネ舌片の全幅にわたって横断方向に延在する。
【００６９】
これは、雌型コネクタに挿入されたコンタクトピンが、その中にしっかりと保持され、コンタクトピンの長手方向の軸の周りで方向付けられる傾動が防止されるという技術的有利性を有する。
【００７０】
一実施形態によると、挿入の方向は、屈曲部の曲率の軸に対して垂直に走る。
【００７１】
これは、挿入されるコンタクトピンが、屈曲部の曲率を介してハウジング開口部に導入されるという技術的有利性を有する。
【００７２】
一実施形態によると、接触壁およびバネ舌片は、電気伝導性材料で形成される。
【００７３】
これは、雌型コネクタに挿入されたコンタクトピンの電気的接触を実現する。
【００７４】
一実施形態によると、第１接触隆起の数は第２接触隆起の数に対応する。これは、第１および第２接触隆起が互いに対向するように対になって配置され得るという技術的有利性を有する。さらに、同じ数の第１および第２接触隆起は、そこに作用する接触力の正確な決定を、挿入深度が対応する数の接触された第１および第２接触隆起に関連するという点で、挿入されたコンタクトピンの挿入深度に基づいて行うことを可能にする。
【００７５】
さらなる態様によると、本発明は、第１コンタクトピンと、第２コンタクトピンと、第１コンタクトピンが挿入された第１雌型コネクタと、第２コンタクトピンが挿入された第２雌型コネクタとを有するリレーを含むリレーシステムに関連する。
【００７６】
これは、リレーシステムに、雌型コネクタにしっかりと接続され得る負荷およびコイルの接続が提供され、これにより、負荷およびコイルの接続のコンタクトピンの挿入深度を介して負荷およびコイルの接続に作用する挿入する力および取り出す力が、個別の段階において変わることを可能にするという技術的有利性を有する。
【００７７】
一実施形態によると、リレーは、狭いリレー、例えば、５ｍｍから６ｍｍ、または３ｍｍの幅を有するリレーである。
【００７８】
一実施形態によると、リレーは、リレー端子の接続面積に対応する接続面積を有する。
【００７９】
これは、リレーとリレー端子との間の接続が正確に嵌合することを可能にする。
【００８０】
一実施形態によると、第１および第２コンタクトピンは、リレーの接続面積において、第２コンタクトピン端部で固定される。
【００８１】
一実施形態によると、雌型コネクタは、リレー端子の接続面積において、第２ハウジング壁の細長い端部領域で固定され得る。
【００８２】
これは、リレー端子において、雌型コネクタがしっかりと固定されることを保証する。
【００８３】
一実施形態によると、リレーシステムにおいて、第１コンタクトピンはコイル接続であり、第２コンタクトピンはリレーの負荷接続である。
【００８４】
これは、リレーの負荷およびコイルの接続が雌型コネクタにより接続され得るということを保証する。
【００８５】
一実施形態によると、第１および第２コンタクトピンは、それらの長さにわたって一様な厚さを有する、且つ、第１コンタクトピン端部と第２コンタクトピン端部とを有するバー状のコンタクトピンである。
【００８６】
これは、第１および第２コンタクトピンはそれぞれ、挿入深度に拘わらず、バネ舌片の一様な撓みを発生させることを保証する。
【００８７】
一実施形態によると、第１および第２コンタクトピンは、バー状のコンタクトピンであり、分離された隆起を有する。
【００８８】
これは、厚さを適合するという技術的有利性を有する。
【００８９】
一実施形態によると、第１および第２コンタクトピンは、テーパ状の第１コンタクトピン端部を有する。
【００９０】
これは、雌型コネクタへの挿入を容易にする。
【００９１】
一実施形態によると、第１および／または第２コンタクトピンは、テーパ状でない第１コンタクトピン端部を有する。
【００９２】
これは、コイル接続のコンタクトピンの簡略化された製造という技術的有利性を有する。
【００９３】
一実施形態によると、第２コンタクトピンはテーパ状の第１コンタクトピン端部を有し、第１コンタクトピンはテーパ状でない第１コンタクトピン端部を有する。
【００９４】
さらに、例示的な実施形態が、添付図面を参照して説明される。それらは以下を示す。
【図面の簡単な説明】
【００９５】
【図１】本発明の実施形態に係る雌型コネクタの概略的な側断面図である。
【図１Ａ】本発明のさらなる実施形態に係る、図２の断面軸Ａに沿った雌型コネクタの概略的な側断面図である。
【図２】本発明の実施形態に係る雌型コネクタの概略的な正面図である。
【図３】本発明の実施形態に係る雌型コネクタの概略的な平面図である。
【図４】本発明の実施形態に係る雌型コネクタの概略斜視側面図である。
【図５】第１コンタクトピンが雌型コネクタに挿入された本発明の実施形態に係る雌型コネクタの概略的な正面図である。
【図６】第１コンタクトピンが雌型コネクタに挿入された本発明の実施形態に係る、図５の断面軸Ｂに沿った雌型コネクタの概略的な側断面図である。
【図６Ａ】第１コンタクトピンが雌型コネクタに挿入されたさらなる実施形態に係る、雌型コネクタの概略的な側断面図である。
【図７】第２コンタクトピンが雌型コネクタに挿入された本発明の実施形態に係る雌型コネクタの概略的な正面図である。
【図８】第２コンタクトピンが雌型コネクタに挿入された本発明の実施形態に係る、図７の断面軸Ｃに沿った雌型コネクタの概略的な側断面図である。
【図８Ａ】第２コンタクトピンが雌型コネクタに挿入されたさらなる実施形態に係る、雌型コネクタの概略的な側断面図である。
【図９】本発明の実施形態に係るリレーと雌型コネクタとを含むリレーシステムであって、リレーがリレー端子に差し込まれた、システムの概略的な正面図である。
【図１０】図９の断面軸Ａに沿ったリレーシステムとリレー端子との概略的な側断面図である。
【図１１】図１０のリレーシステムの切り欠き領域の拡大した概略的な側断面図である。
【図１２Ａ】本発明の実施形態に係るリレーと雌型コネクタとを含むリレーシステムであって、ここでリレーのコンタクトピンは雌型コネクタに挿入されていない、リレーシステムの概略的な正面図である。
【図１２Ｂ】図１２Ａの断面軸Ｃに沿った雌型コネクタの概略的な側断面図である。
【図１２Ｃ】図１２Ａの断面軸Ｄに沿った雌型コネクタの概略的な側断面図である。
【図１３Ａ】本発明の実施形態に係るリレーと雌型コネクタとを含むリレーシステムであって、ここでリレーのコンタクトピンは雌型コネクタに挿入されている、リレーシステムの概略的な正面図である。
【図１３Ｂ】図１３Ａの断面軸Ｃに沿った雌型コネクタの概略的な側断面図である。
【図１３Ｃ】図１３Ａの断面軸Ｄに沿った雌型コネクタの概略的な側断面図を示す。
【発明を実施するための形態】
【００９６】
図１によると、本発明の実施形態に係る雌型コネクタ１００は、ハウジング１０１と、ハウジング１０１に配置された接触壁１０３であって、少なくとも１つの第１接触隆起１０３−２を含む第１変形部１０３−１を有する、接触壁１０３と、ハウジング１０１に配置されたバネ舌片１０５であって、接触壁１０３に面する、バネ舌片１０５であり、複数の第２接触隆起１０５−２を含む第２変形部１０５−１を有する、バネ舌片１０５と、を備え、ここで、第２ディップ１０５−３が、２つの連続する第２接触隆起１０５−２の間にそれぞれ形成され、少なくとも１つの第１接触隆起１０３−２の第２接触隆起１０５−２は、少なくとも１つの第１接触隆起１０３−２に対向するように配置され、異なるコンタクトピンの長さのコンタクトピン５０１、７０２をスプラング式で第１接触隆起１０３−２に対して押圧するために提供される。
【００９７】
図１によると、第１ハウジング壁１０１−１は、第１ハウジング壁１０１−１の内部に形成された接触壁１０３を有する。接触壁１０３は、第１変形部１０３−１に配置された少なくとも１つの第１接触隆起１０３−２を有する。
【００９８】
少なくとも１つの第１接触隆起１０３−２は、接触壁１０３の内部に、接着性隆起として、第２ハウジング壁１０１−２に面して、コンタクトピンの挿入方向１１７に沿って延在して形成される。
【００９９】
一実施形態において、少なくとも１つの第１接触隆起１０３−２は、スタンピングまたはエンボスプロセスによって少なくとも１つの第１接触隆起１０３−２が第１ハウジング壁１０１−１におけるディップとして埋め込まれることにより、接触壁１０３に一体に形成される。
【０１００】
図１Ａはさらに、さらなる実施形態に係る雌型コネクタ１００の概略的な側断面図を示す。
【０１０１】
図１Ａによると、接触壁の第１変形部１０３−１は、接触壁１０３の内部に、複数の分離された隆起として、第２ハウジング壁１０１−２に面してそれぞれ形成された複数の第１接触隆起１０３−２を有する。
【０１０２】
さらに、一実施形態によると、接触壁１０３は、第１ディップ１０３−３が２つの隣接する第１接触隆起１０３−２のそれぞれの間に配置されるように配置された複数の第１ディップ１０３−３を有する。第１ディップ１０３−３は、第１接触隆起１０３−２間の平坦面としてそれぞれ適合される。
【０１０３】
図１Ａから図１３Ｃには、２つの第１接触隆起１０３−２のみ示されており、それに応じて、１つの第１ディップ１０３−３のみが示される。しかし、本発明はこれに限定されることを意図するものではなく、むしろ、複数の第１接触隆起１０３−２および複数の第１ディップ１０３−３が可能である。
【０１０４】
図１Ａで見られ得るように、第１接触隆起１０３−２は、コンタクトピンの挿入方向１１７に沿って接触壁１０３において交互に形成される。
【０１０５】
接触壁１０３の第１変形部１０３−１は、挿入方向１１７に沿って延在し、接触壁１０３の全ての第１接触隆起１０３−２と第１ディップ１０３−３とを含む。
【０１０６】
図１によると、第１ハウジング壁１０１−１に対向するように配置された第２ハウジング壁１０１−２は、第１ハウジング壁１０１−１に面平行に配置された基部１０９と、基部１０９に隣接する屈曲部１１１と、屈曲部１１１に隣接する曲げ返されたブラケット部１１３とを含むコンタクトクリップ１０７を有する。
【０１０７】
曲げ返されたブラケット部１１３は、基部１０９と第１ハウジング壁１０１−１との間に配置される。曲げ返されたブラケット部１１３は、バネ舌片１０５として適合される。バネ舌片１０５は、第２変形部１０５−１内においてバネ舌片１０５の表面に配置された、複数の第２接触隆起１０５−２と複数の第２ディップ１０５−３とを有する。
【０１０８】
第２接触隆起１０５−２は、接触壁１０３に面するバネ舌片１０５の表面における隆起として形成され、接触壁１０３に面している。複数の第２接触隆起１０５−２は、挿入方向１１７に沿って交互に配置され、２つの隣接する第２接触隆起１０５−２は、それらの間に配置された第２ディップ１０５−３によりそれぞれ分離される。
【０１０９】
バネ舌片１０５の第２変形部１０５−１は、挿入方向１１７に沿って延在し、全ての第２接触隆起１０５−２と全ての第２ディップ１０５−３とを備える。第２変形部１０５−１は波状であり、その結果、第２接触隆起１０５−２および第２ディップ１０５−３は、穏やかに起伏する端部を有するようにそれぞれ形成され、従って、互いに連続的に併合される。
【０１１０】
図１から図１３Ｃのそれぞれには、２つの第２接触隆起１０５−２のみと、それらの間に配置された１つの第２ディップ１０５−３のみが示される。しかし、本発明はこれに限定されることを意図するものではなく、むしろ、複数の第２接触隆起１０５−２と複数の第２ディップ１０５−３とも可能である。
【０１１１】
少なくとも１つのおよび／または複数の第１接触隆起１０３−２は、バネ舌片１０５に面する接触壁１０３に配置され、その一方、バネ舌片１０５上の複数の第２接触隆起１０５−２は接触壁１０３に面して配置される。従って、第１接触隆起１０３−２と第２接触隆起１０５−２との両方は、接触壁１０３とバネ舌片１０５との間に配置された受容空間１１９内に延在する。複数の第１接触隆起１０３−２と複数の第２接触隆起１０５−２とは、互いに対向して、互いに面するように、対になって配置される。
【０１１２】
また、バネ舌片１０５は、屈曲部１１１に対向するバネ舌片１０５の弾性を有する端部に配置された端部１１５を有する。端部１１５は、第２ハウジング壁１０１−２のコンタクトクリップ１０７の基部１０９に向かって傾斜する。
【０１１３】
一実施形態において、バネ舌片１０５の端部１１５は、コンタクトクリップ１０７の基部１０９に接触するように適合される。このように、バネ舌片１０５により加えられるバネ力が増加する。
【０１１４】
また、第２ハウジング壁１０１−２は、屈曲部１１１から離れるように面するコンタクトクリップ１０７の基部１０９の端部に隣接する、細長い端部領域１０１−４を有する。第２ハウジング壁１０１−２の細長い端部領域１０１−４は、対向する第１ハウジング壁１０１−１の対応する端部を超えて延在する。
【０１１５】
さらに、雌型コネクタ１００のハウジング１０１は、接触壁１０３とバネ舌片１０５との間に配置される受容空間１１９と連通し、第２ハウジング壁１０１−２のコンタクトクリップ１０７の屈曲部１１１と第１ハウジング壁１０１−１の対応する端部との間に配置された、ハウジング開口部１０１−３を有する。
【０１１６】
曲率軸が挿入方向１１７と雌型コネクタ１００の長手方向とに対して垂直に方向付けられた第２ハウジング壁１０１−２のコンタクトクリップ１０７の屈曲部１１１は、ハウジング開口部１０１−３の下部境界を形成し、従って、挿入されるコンタクトピンの端部は屈曲領域１１１の曲面を介して受容空間１１９に誘導されるという点で、ハウジング開口部１０１−３を介する屈曲領域の曲面を介して、コンタクトピンが、接触壁１０３とバネ舌片１０５との間に配置された受容空間１１９に挿入されることを容易にする。
【０１１７】
図１に示されるように、挿入方向１１７は、雌型コネクタ１００の長手方向に対応する。
【０１１８】
図２は、雌型コネクタ１００の概略正面図を示す。図２の視線方向は、挿入方向１１７に対して方向付けられる。図２に示されるように、一実施形態において、雌型コネクタ１００のハウジング１０１は、直方形状の中空体として形成され、曲げまたは折り曲げプロセスにより形成され、それによって直方形状の中空体が接続され固体構造を形成する溶着点２０１−５を有する。バネ舌片１０５は、ハウジング１０１の内部の中央の第２ハウジング壁１０１−２の内部に、コンタクトクリップ１０７を介して形成される。バネ舌片１０５に対向して、少なくとも１つのまたは複数の第１接触隆起１０３−２が、接触壁１０３の中央に形成される。鉛直線と２つの横矢印が、図１および図１Ａの切断軸および視線方向を定義する。
【０１１９】
図３は、本発明の実施形態に係る雌型コネクタ１００の概略的な平面図を示す。一実施形態において、第１接触隆起１０３−２は、楕円形のディップとして第１ハウジング壁１０１−１に鋳造される。
【０１２０】
図４は、本発明の実施形態に係る雌型コネクタ１００の概略斜視図を示す。
【０１２１】
図５は、そこに第１コンタクトピン５０１が挿入された雌型コネクタ１００の概略正面図を示す。図５の視線方向は、挿入方向１１７に対して方向付けられる。第１コンタクトピン５０１は、バネ舌片１０５と接触壁１０３との間に弾力的に押圧される。鉛直線と２つの横矢印が、図６の切断軸および視線方向を定義する。
【０１２２】
図６は、本発明の実施形態に係る、第１コンタクトピン５０１が第１挿入深度までそこに挿入される雌型コネクタ１００の概略的な側断面図を示す。図６において、雌型コネクタ１００は、２つの第１接触隆起１０３−２を用いて、一実施形態に従って示される。
【０１２３】
図６によると、第１コンタクトピン５０１は棒状のコンタクトピンであり、第１コンタクトピン端部６０１−１と第２コンタクトピン端部６０１−２とを有する。第１コンタクトピン５０１は、第１コンタクトピン端部６０１−１を用いて、挿入方向１１７に沿ってハウジング開口部１０１−３を介して、接触壁１０３とコンタクト舌片１０５とを間の受容空間１１９に挿入される。
【０１２４】
第１コンタクトピン５０１は、第１挿入深度まで雌型コネクタ１００に挿入され、第１の数の第１および第２接触隆起１０３−２、１０５−２との接触を形成する。図６に示されるように、第１の数は、接触壁１０３の２つの第１接触隆起１０３−２のうちの１つのみに対応し、バネ舌片１０５の２つの第２接触隆起１０５−２のうちの１つのみに対応する。しかし、第１の数が異なる数の接触された第１および第２接触隆起１０３−２、１０５−２に対応するということも想像できる。
【０１２５】
第１コンタクトピン５０１の長手方向の軸に対して垂直に矢印が走ると、第１接触力６０３は、２つの第１および第２接触隆起１０３−２、１０５−２を介して、第１コンタクトピン５０１に作用する。第１接触力６０３は、個々の第１および第２接触隆起１０３−２、１０５−２を介して第１コンタクトピン５０１に作用する個々の接触力の和からもたらされる。個々の第１および第２接触隆起１０３−２、１０５−２は、それぞれが互いに面する２つの黒い矢印により表され、第１コンタクトピン５０１の長手方向の軸に対して垂直に走り、矢印の長さは個々の接触力の量を記号化する。
【０１２６】
図６Ａは、さらなる実施形態に係る雌型コネクタ１００の概略的な側断面図を示し、ここで、本実施形態によると、第１変形部１０３−１は、少なくとも１つの第１コンタクト形成部１０３−２を備え、第１コンタクトピン５０１は雌型コネクタ１００に挿入される。
【０１２７】
図７は、そこに第２コンタクトピン７０２が挿入された雌型コネクタ１００の概略正面図を示す。図７の視線方向は、挿入方向１１７に対して方向付けられる。第２コンタクトピン７０２は、バネ舌片１０５と接触壁１０３との間に弾力的に押圧される。鉛直線と２つの横矢印が、図８の切断軸および視線方向を定義する。
【０１２８】
図８は、本発明の実施形態に係る、第２コンタクトピン７０２が第２挿入深度までそこに挿入される雌型コネクタ１００の概略的な側断面図を示す。図８において、雌型コネクタ１００は、２つの第１接触隆起１０３−２を用いて、一実施形態に従って示される。
【０１２９】
図８で見られ得るように、第２コンタクトピン７０２は、棒状のコンタクトピンと同様であり、第１コンタクトピン端部８０２−１と第２コンタクトピン端部８０２−２とを有する。
【０１３０】
第２コンタクトピン７０２は、第１コンタクトピン端部８０２−１を用いて、挿入方向１１７に沿ってハウジング開口部１０１−３を介して、接触壁１０３とコンタクト舌片１０５とを間の受容空間１１９に挿入される。
【０１３１】
しかし、第２コンタクトピン７０２は、より深い第２挿入深度まで雌型コネクタ１００に挿入され、従って、より多くの第２の数の第１および第２接触隆起１０３−２、１０５−２に接触する。本例において、第２の数は、接触壁１０３の２つの第１接触隆起１０３−２と、バネ舌片１０５の２つの第２接触隆起１０５−２とに対応する。しかし、第２の数が異なる数の接触された第１および第２接触隆起１０３−２、１０５−２に対応するということも想像できる。
【０１３２】
雌型コネクタ１００に第２挿入深度まで挿入された第２コンタクトピン７０２に作用する第２接触力８０４は、接触壁１０３の接触された第１接触隆起１０３−２に加えられる個々の接触力の数と、バネ舌片１０５の接触された第２接触隆起１０５−２に加えられる個々の接触力の数との和からもたらされ、４つの平行に方向付けられた相互に面する鉛直矢印により示される。それに応じて、第２挿入深度まで挿入された第２コンタクトピン７０２に作用する第２接触力８０４は、第１挿入深度まで挿入された第１コンタクトピン７０２に作用する第１接触力６０３より大きい。
【０１３３】
図８Ａは、さらなる実施形態に係る雌型コネクタ１００の概略的な側断面図を示し、ここで、本実施形態によると、第１変形部１０３−１は、少なくとも第１コンタクト形成部１０３−２を有し、第２コンタクトピン７０２は雌型コネクタ１００に挿入される。
【０１３４】
図６、図６Ａ、図８および図８Ａに示されるように、一実施形態に係る第１および第２コンタクトピン５０１、７０２はそれぞれ、テーパ状の第１コンタクトピン端部６０１−１、８０２−１を有する。
【０１３５】
図９は概略正面図を示し、図１０および１１はそれぞれ、第１コンタクトピン５０１と第２コンタクトピン７０２とを有するリレー９０１と、第１コンタクトピン５０１が挿入された第１雌型コネクタ１００と、第２コンタクトピン７０２が挿入された第２雌型コネクタ１００とを含み、リレーはリレー端子９０３に差し込まれる、リレーシステム９００の概略的な側断面図を示す。図９に示される鉛直線と２つの横矢印が、図１０および図１１の切断軸および視線方向を定義する。
【０１３６】
図１１によると、一実施形態によると、リレー９０１は狭いリレーであり、３ｍｍから６ｍｍの間の幅を有するリレーであることが好ましい。さらに、リレー９０１は、リレー端子９０３の接続面積１１０３−２に対応する接続面積１１０１−２を有し、その結果、リレー９０１をリレー端子９０３に正確に嵌合するように接続することが可能である。
【０１３７】
一実施形態によると、第２コンタクトピン７０２は、リレー９０１の接続面積１１０１−１において、第２コンタクトピン端部８０２−２で固定される。さらに、リレー９０１とリレー端子９０３との接続状態において、第２コンタクトピン７０２は、第２挿入深度まで雌型コネクタ１００に第１コンタクトピン端部８０２−１を用いて挿入される。
【０１３８】
一実施形態によると、雌型コネクタ１００は、リレー端子９０３の接続面積１１０３−１において、第２ハウジング壁１０１−２の細長い端部領域１０１−４で固定される。
【０１３９】
図１２Ａは、本発明の実施形態に係る、リレー９０１と雌型コネクタ１００とを含むリレーシステムであって、ここで、リレー９０１のコンタクトピンは雌型コネクタ１００に挿入されていない、リレーシステム９００の概略正面図を示す。鉛直線と２つの横矢印が、図１２Ｂおよび図１２Ｃの切断軸および視線方向を定義する。
【０１４０】
一実施形態によると、リレー９０１の第１コンタクトピン５０１はコイル接続であり、第２コンタクトピン７０２はリレー９０１の負荷接続である。図１２Ａで見られ得るように、一実施形態によると、負荷接続としての第２コンタクトピン７０２は、実質的に、コイル接続としての第１コンタクトピン５０１より幅広く且つそれより長く適合される。
【０１４１】
さらに、一実施形態によると、第２コンタクトピン７０２は、テーパ状の第１コンタクトピン端部８０２−１を有し、その一方、第１コンタクトピン５０１は、コイル接続として、テーパ状でない第１コンタクトピン端部５０１−１を有する。
【０１４２】
図１２Ｂおよび図１２Ｃは、リレーシステム９００の雌型コネクタの概略的な側断面図を示す。
【０１４３】
図１３Ａは、接続状態における図１２Ａからの雌型コネクタ１００を含むリレーシステム９００を示す。
【０１４４】
リレー９０１のコイル接続としての２つの第１コンタクトピン５０１は、図１３Ｂで見られ得るように、雌型コネクタ１００に第１挿入深度まで挿入され、リレー９０１の負荷接続としての３つの第２コンタクトピン７０２は、図１３Ｃで見られ得るように、第２挿入深度まで雌型コネクタ１００に挿入される。
【符号の説明】
【０１４５】
１００  雌型コネクタ
１０１  ハウジング
１０１−１  第１ハウジング壁
１０１−２  第２ハウジング壁
１０１−３  ハウジング開口部
１０１−４  細長い端部領域
１０３  接触壁
１０３−１  第１変形部
１０３−２  第１接触隆起
１０３−３  第１ディップ
１０５  バネ舌片
１０５−１  第２変形部
１０５−２  第２接触隆起
１０５−３  第２ディップ
１０７  コンタクトクリップ
１０９  基部
１１１  屈曲部
１１３  曲げ返されたブラケット部
１１５  端部
１１７  挿入方向
１１９  受容空間
２０１−５  溶着点
５０１  第１コンタクトピン
６０１−１  第１コンタクトピン端部
６０１−２  第２コンタクトピン端部
６０３  第１接触力
７０２  第２コンタクトピン
８０２−１  第１ピン端部
８０２−２  第２ピン端部
８０４  第２接触力
９００  リレーシステム
９０１  リレー
９０３  リレー端子
１１０１−１  接続面積
１１０１−２  接続面積
１１０３−１  接続面積
１１０３−２  接続面積
【図１】
2021524132.tif 000006
【図１Ａ】
2021524132.tif 000007
【図２】
2021524132.tif 000008
【図３】
2021524132.tif 000009
【図４】
2021524132.tif 000010
【図５】
2021524132.tif 000011
【図６】
2021524132.tif 000012
【図６Ａ】
2021524132.tif 000013
【図７】
2021524132.tif 000014
【図８】
2021524132.tif 000015
【図８Ａ】
2021524132.tif 000016
【図９】
2021524132.tif 000017
【図１０】
2021524132.tif 000018
【図１１】
2021524132.tif 000019
【図１２Ａ】
2021524132.tif 000020
【図１２Ｂ】
2021524132.tif 000021
【図１２Ｃ】
2021524132.tif 000022
【図１３Ａ】
2021524132.tif 000023
【図１３Ｂ】
2021524132.tif 000024
【図１３Ｃ】
2021524132.tif 000025
【国際調査報告】
2021524132.tif 000026
2021524132.tif 000027
2021524132.tif 000028
2021524132.tif 000029